(57)【要約】【課題】特別な知識を持たない一般消費者自身が、購入を検討している商品特に食料品の品質を簡便に確認することができる商品情報提供システムを提供する。【解決手段】一般消費者はまず、システム名称（Ｊ）によって本システムを判別する。次いで、品質グレード記号Ｂによって品質の一次判断をする。ここでのグレードは、たとえば、Ａを最上位にした場合、２番目のランクとなる。さらに、品質コードでデータベースにアクセスし、その商品の品質の詳細なデータを入手する。これらにより、一般消費者は購入を検討している商品の品質を、容易、正確に判断することができる。【選択図】図１
2020060865.tif 000002
【特許請求の範囲】
【請求項１】
商品に付された表示に表された表示情報を送信すると共に、商品の品質情報を受信して表示するための携帯型情報端末と、
前記商品の品質を前記表示情報に関連付けて管理する情報管理手段と、
前記情報管理手段により管理された情報のうち当該商品に対応する情報を前記携帯型情報端末に提示する情報提示手段と、
を備える商品情報提供システム。
【請求項２】
商品に付された前記表示は、前記商品情報提供システムのシステム名称と、品質コードとを含むことを特徴とする請求項１に記載の商品情報提供システム。
【請求項３】
商品に付された前記表示は、さらに、品質グレード記号と品質管理番号とを含むことを特徴とする請求項２に記載の商品情報提供システム。
【請求項４】
前記商品は食料品であることを特徴とする請求項１〜３のいずれか１項に記載の商品情報提供システム。
【発明の詳細な説明】
【技術分野】
【０００１】
本発明は、商品情報、特に好適には食料品の品質情報を提供するためのシステムに関する。
【背景技術】
【０００２】
スマートフォン等の携帯型情報端末を利用して商品情報を提供するシステムが開発されている。特許文献１には、バーコードリーダを利用した商品データ管理システムが開示されている。具体的には、商品に付されたバーコード等のコードシンボル（商品コード）から、価格、購入日、品質保持期限等を読み取り、当該価格が処分価格であるか否か等の判断、消費期限順表示、低価格順表示等を行う。
【先行技術文献】
【特許文献】
【０００３】
【特許文献１】特開２００２−１４０５１０号公報
【発明の概要】
【発明が解決しようとする課題】
【０００４】
現在、食料品の安全性を確認するために、成分表示などがなされている。しかしながら、食料品の成分表示を見ただけでは、その安全度合いは容易には判断できない。
【０００５】
また、有害とされている物質が含有されているかどうかもすぐにはわからない。
【０００６】
たとえば、オレンジの皮に防かび剤イマザリルが使用されている場合はオレンジの包装に表示されているが、これは、食品衛生法で規定されているためで、このようなケースは多くない。
【０００７】
また、消費者によってはその他にも使用有無を知りたい物質がある。
【０００８】
さらに、食品にハラール認証マークが貼付されている場合も、その認証団体がどのような基準で認証をしているかどうかを消費者は確認したい。
【０００９】
本発明は、特別な知識を持たない一般消費者自身が、購入を検討している商品特に食料品の品質等を簡便に確認することができる商品情報提供システムを提供することを目的とする。
【課題を解決するための手段】
【００１０】
本発明の商品情報提供システムは、商品に付された表示に表された表示情報を送信すると共に、商品の品質情報を受信して表示するための携帯型情報端末と、前記商品の品質を前記表示情報に関連付けて管理する情報管理手段と、前記情報管理手段により管理された情報のうち当該商品に対応する情報を前記携帯型情報端末に提示する情報提示手段と、を備える。
【００１１】
本発明の一態様では、商品に付された前記表示は、前記商品情報提供システムのシステム名称と、品質コードとを含む。
【００１２】
本発明の一態様では、商品に付された前記表示は、さらに、品質グレード記号と品質管理番号とを含む。
【００１３】
本発明では、商品としては食料品が好適である。
【発明の効果】
【００１４】
本発明によれば、特別な知識を持たない一般消費者自身が、購入を検討している商品特に食料品の品質等を簡便に確認することができる。
【図面の簡単な説明】
【００１５】
【図１】本発明の実施の形態に係る商品情報提供システムに用いられる表示の一例を示す図である。
【図２】実施の形態に係る商品情報提供システムの構成を例示する図である。
【発明を実施するための形態】
【００１６】
以下、図面を参照して本発明の実施の形態について説明する。
【００１７】
この実施の形態では、本システムを判別するシステム名称、品質を判定するグレードを表す品質グレード記号、その根拠を調べるための品質コードを一体的に表したラベルを商品に添付する。なお、商品に直接に印刷してもよい。
【００１８】
一般消費者はラベルに表された名称、品質グレード記号によってその商品の品質を一次判断する。さらにその内容を詳細に調べたり確認したい場合、インターネット接続可能な電話機一体型携帯情報端末（以下「携帯ウェブ」と略す）を用い、表された品質コードによってその商品の情報が登録されたデータベースにアクセスしてその商品の品質や品質判定基準などを迅速に確認することができる。
【００１９】
尚、場合によっては品質管理記号を付与し、品質管理方法やハラール認証機関がどのような基準で認証をしているかどうかについても容易に確認することができる。
【００２０】
これら、品質を表す測定値や特定物質の含有有無、含有率、品質を判定する基準、品質管理方法、ハラール機関がどのような基準で認証しているかなどは、すべて品質コードによってその商品の情報が登録されたデータベースにアクセスし、迅速に確認することができる。
【００２１】
図１は、このラベル（又は印刷）の表示の一例を示している。
【００２２】
一般消費者はまず、システム名称（図１ではＪ）によって、当該商品が本発明システムによって情報取得可能のものであるかどうかを判別する。
【００２３】
次いで、品質グレード記号Ｂによって品質の一次判断をする。ここでのグレードは、たとえば、Ａを最上位にした場合、２番目のランクとなる。
【００２４】
品質管理記号３は、たとえば、１０の３乗個数の商品中のうち１つについて、予め定められた検査をするという意味である。この表現法を用いる時、たとえば、１０の４乗個数の商品中のうち１つを検査する場合、数値４となり、品質管理方法について容易に判断ができる。
【００２５】
品質グレード記号と品質管理記号の意味は、本システムのデータベースで定義されており、品質コードでデータベースにアクセスした時に容易に確認することができる。さらに、品質コードでデータベースにアクセスした時に、その商品の品質が詳細に記されている。
【００２６】
これらにより、一般消費者は購入を検討している商品の品質を、容易、正確に判断することができる。また、一般消費者は、同様の商品を２回目以降に購入する際、品質グレード記号のみを根拠として購入することも可能であり、より容易に食料品等の商品の品質を確認することができる。
【００２７】
図２は、商品情報提供システム１の構成図である。この商品情報提供システム１は、携帯ウェブ２、情報管理手段３、及び情報提示手段４を備える。
【００２８】
ユーザが商品のラベル等から読み取った品質コードを携帯ウェブ２で入力すると、インターネット６を介して本発明システム運営者のサーバ５との間で送信が行われる。
【００２９】
情報管理手段３は、上記商品の品質を品質コードと関連付けて管理している。情報提示手段４は、情報管理手段３により管理されている情報を携帯ウェブ２に送信する。
【００３０】
情報管理手段３及び情報提示手段４は、本システムの運営者のサーバ５に設定されており、該サーバに記憶されたプログラムを実行することにより実現される。即ち、サーバの中央処理装置は、記憶装置に記憶されたプログラムに従って各種演算・制御処理を実行する。記憶装置には、プログラムの他、各種データベースが記憶される。
【００３１】
このデータベースには、商品の有害物質に関するデータも記憶されている。有害物質データは、
国際がん研究機関の発がん性リスク物質一覧リスト
ＲＥＡＣＨ規則に基づく認可対象物質リスト
ＲＥＡＣＨ規則に基づく認可対象候補の高懸念物質リスト
などから自動的に取り込むか、又はリストを本特許のデータベースに１回／月程度、人手でコピーアンドペーストすることにより取り込まれる。
【００３２】
ハラル認証の場合、インターネット上で検索できる「ハラール認証取得企業一覧」に食品メーカー別に登録された商品が掲載されているので、それとリンクさせる。また、取得したメーカーが本特許のデータベースに登録したことを入力する（データベース内にエビデンスも添付する）。
【００３３】
以上のシステムにより、特別な知識を持たない一般消費者自身が、購入を検討している食料品の品質を、本システムにより簡便に確認できる。
【００３４】
即ち、一般消費者はまず、本システムのラベル名称、品質グレード記号、品質管理記号によりその品質を一次判断できる。さらに、インターネット接続可能な携帯ウェブと品質コードによってその商品の情報が登録されたデータベースにアクセスし、その商品の品質を迅速に確認できる。
【００３５】
これらにより、一般消費者は購入を検討している食料品の品質を、簡単にかつ詳しく調べることができる。
【００３６】
図１では、表示には文字が用いられているが、文字、図形及び記号の１又は２以上の組み合わせとしてもよい。文字は、各種言語の文字のいずれでもよく、また数字であってもよい。図形はバーコードであってもよく、ＵＲＬコードであってもよい。
【符号の説明】
【００３７】
１  商品情報提供システム
２  携帯ウェブ
３  情報管理手段
４  情報提示手段
５  サーバ
【図１】
2020060865.tif 000003
【図２】
2020060865.tif 000004
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
商品に付された表示に表された表示情報を送信すると共に、商品の品質情報を受信して表示するための携帯型情報端末と、
前記商品の品質を前記表示情報に関連付けて管理する情報管理手段と、
前記情報管理手段により管理された情報のうち当該商品に対応する情報を前記携帯型情報端末に提示する情報提示手段と、
を備える商品情報提供システムであって、
商品に付された前記表示は、さらに、品質グレード記号と品質管理記号とを含み、
該品質管理記号は、品質管理方法又はハラール認証機関の認証基準を表すことを特徴とする商品情報提供システム。
【請求項２】
商品に付された前記表示は、前記商品情報提供システムのシステム名称と、品質コードとを含むことを特徴とする請求項１に記載の商品情報提供システム。
【請求項３】
前記商品は食料品であることを特徴とする請求項１又は２に記載の商品情報提供システム。